(57)【要約】【課題】顧客から受け取った配送伝票を可及的速やかに配送車内でスキャンするのに適した可搬型イメージスキャナを提供する。【解決手段】スキャンした紙を排出する排出口２２０を有するイメージスキャナ部２００と、折り畳まれた形態と、展開された形態とのいずれかの形態へ変形可能な鞄部３００とを有し、鞄部３００は、折り畳まれた形態へ変形された場合に、イメージスキャナ部２００を収納するイメージスキャナ収納部３５０と、展開された形態へ変形された場合に、イメージスキャナ部２００の排出口２２０の下方に位置し、上方を向いて開口する開口部を有する紙収納部３４０とを有し、展開された形態へ変形された場合に、紙収納部３４０は、排出口２２０から落下する紙を、開口部を介して収納する。【選択図】図４
2016096418.tif 000002
【特許請求の範囲】
【請求項１】
スキャンした紙を排出する排出口を有するイメージスキャナ部と、
折り畳まれた形態と、展開された形態とのいずれかの形態へ変形可能な鞄部と、
を有し、
前記鞄部は、
前記折り畳まれた形態へ変形された場合に、前記イメージスキャナ部を収納するイメージスキャナ収納部と、
前記展開された形態へ変形された場合に、前記イメージスキャナ部の前記排出口の下方に位置し、上方を向いて開口する開口部を有する紙収納部と、
を有し、
前記紙収納部は、前記展開された形態へ変形された場合に、前記排出口から落下する前記紙を、前記開口部を介して収納する、可搬型イメージスキャナ。
【請求項２】
請求項１に記載の可搬型イメージスキャナにおいて、
前記鞄部は、前記折り畳まれた形態に変形された場合に、利用者が把持可能な持ち手を外側のいずれかの面に有する、可搬型イメージスキャナ。
【請求項３】
請求項２に記載の可搬型イメージスキャナにおいて、
前記鞄部は、前記折り畳まれた形態へ変形された場合に、前記イメージスキャナ収納部の上方に位置する外側の面に前記持ち手を有する、可搬型イメージスキャナ。
【請求項４】
請求項１に記載の可搬型イメージスキャナにおいて、
前記紙収納部は、開閉板と、前記開閉板と対向する収納部背面板とを有し、
前記紙収納部は、前記開閉板が前記収納部背面板から離れる方向へ屈曲されることで展開される、可搬型イメージスキャナ。
【請求項５】
請求項１に記載の可搬型イメージスキャナにおいて、
前記鞄部は、外側のいずれかの面にゴム脚を有する、可搬型イメージスキャナ。
【請求項６】
請求項１に記載の可搬型イメージスキャナにおいて、
前記イメージスキャナ部は、側面に衝撃緩衝部材を有する、可搬型イメージスキャナ。
【発明の詳細な説明】
【技術分野】
【０００１】
本発明は、可搬型イメージスキャナに関する。
【背景技術】
【０００２】
配送業者が、配送伝票をイメージスキャナにスキャンさせ、スキャンした結果として取得される画像データを管理することが行われている。
【０００３】
特開２０１４−７８８８５号公報（特許文献１）には、「積層された配送伝票束を搭載するホッパと、前記ホッパに搭載された配送伝票束から１枚ずつ搬送される配送伝票の画像を読み取るイメージセンサと、前記イメージセンサによって読み取った配送伝票画像の入力漏れ及び又は画像品質を確認する制御手段とを備えるイメージスキャナであって、前記制御手段が、前記イメージセンサを用いて同一配送伝票束の配送伝票を積層順に複数回読み取る読み取り工程と、前記複数回読み取った配送伝票束の配送伝票画像の黒画素数を読み取った順に比較し、比較した両黒画素数が所定の閾値の範囲内で一致するか否かを判定する第１判定工程とを実行する」と記載されている。
【先行技術文献】
【特許文献】
【０００４】
【特許文献１】特開２０１４−７８８８５号公報
【発明の概要】
【発明が解決しようとする課題】
【０００５】
配送伝票を顧客から回収するのには時間がかかり、数も膨大であるため、顧客（例えば、個人や法人）から受け取った配送伝票を可及的速やかにスキャンしたいというニーズがある。本発明の目的は、顧客から受け取った配送伝票を可及的速やかにスキャンするのに適した可搬型イメージスキャナを提供することである。
【課題を解決するための手段】
【０００６】
本願において開示される発明のうち、代表的なものの概要を簡単に説明すれば、次の通りである。
【０００７】
本発明の一実施の形態の可搬型イメージスキャナは、スキャンした紙を排出する排出口を有するイメージスキャナ部を有する。また、折り畳まれた形態と、展開された形態とのいずれかの形態へ変形可能な鞄部を有する。また、前記鞄部は、前記折り畳まれた形態へ変形された場合に、前記イメージスキャナ部を収納するイメージスキャナ収納部と、前記展開された形態へ変形された場合に、前記イメージスキャナ部の前記排出口の下方に位置し、上方を向いて開口する開口部を有する紙収納部とを有する。また、前記紙収納部は、前記展開された形態へ変形された場合に、前記排出口から落下する前記紙を、前記開口部を介して収納する。
【発明の効果】
【０００８】
本願において開示される発明のうち、代表的なものによって得られる効果を簡単に説明すれば以下のとおりである。
【０００９】
本発明の代表的な実施の形態によれば、顧客から受け取った配送伝票を可及的速やかにスキャンするのに適した可搬型イメージスキャナを提供できる。
【図面の簡単な説明】
【００１０】
【図１】本発明の一実施の形態における可搬型イメージスキャナを有する配送伝票管理システムの構成例の概要を示す図である。
【図２】本発明の一実施の形態における可搬型イメージスキャナが展開された形態を示す正面側斜視図である。
【図３】本発明の一実施の形態における可搬型イメージスキャナが展開された形態を示す他の正面側斜視図である。
【図４】本発明の一実施の形態における可搬型イメージスキャナが折り畳まれた形態から展開された形態になるまでの各形態を説明するための正面斜視図である。（ａ）および（ｂ）は、折り畳まれた形態から展開された形態になるまでの動作を示す正面側斜視図。（ｃ）は、折り畳まれた形態を示す正面側斜視図である。
【図５】本発明の一実施の形態における可搬型イメージスキャナが折り畳まれた形態を示す背面側斜視図である。
【図６】本発明の一実施の形態における可搬型イメージスキャナが折り畳まれた形態を示す他の背面側斜視図である。
【図７】本発明の一実施の形態における可搬型イメージスキャナが折り畳まれた形態を示す他の背面側斜視図である。
【発明を実施するための形態】
【００１１】
以下、本発明の実施の形態を図面に基づいて詳細に説明する。なお、実施の形態を説明するための全図において、同一部には原則として同一の符号を付し、その繰り返しの説明は省略する。
【００１２】
＜システム構成＞
図１は、本発明の一実施の形態における可搬型イメージスキャナ１００を有する配送伝票管理システムの構成例の概要を示す図である。図１に示されるように、配送伝票管理システムは、複数の可搬型イメージスキャナ１００と、各可搬型イメージスキャナ１００と無線通信を介して接続されるサーバ４００とを有する。
【００１３】
従来は、所定の地点へと回収された配送伝票を、地点ごとに設置されるイメージスキャナで集中してスキャンしていた。しかし、配送伝票を所定の地点に集めるのに時間がかかる。本発明の一実施の形態における配送伝票管理システムでは、顧客から受け取った配送伝票を、配送車ごとに割り当てられる複数の可搬型イメージスキャナ１００でスキャンすることで、速やかに当該配送伝票の画像データをサーバ４００に集約できる。
【００１４】
なお、配達伝票には、個人宅から回収する配達伝票と、店舗や法人から回収する配達伝票と、その他の配達地点から回収する配達伝票が含まれる。
【００１５】
可搬型イメージスキャナ１００は、サーバ４００との間で無線通信を介して各種データを送受信可能に構成される。
【００１６】
例えば、配送業者は、顧客から受け取った配送伝票を可搬型イメージスキャナ１００にスキャンさせる。その後、可搬型イメージスキャナ１００は、スキャンした結果、取得される画像データを、無線通信を介してサーバ４００へ送信する。
【００１７】
サーバ４００は、各可搬型イメージスキャナ１００から送信される各画像データを受信する。これによって、サーバ４００は、各可搬型イメージスキャナ１００がスキャンした配送伝票を集中管理する。
【００１８】
ここで、配送伝票をスキャンするためのイメージスキャナを分散化する場合、イメージスキャナを例えば鞄などに収納して携帯しなければならない。その場合、イメージスキャナ自体を鞄に収納することが困難な場合がある。
【００１９】
また、一般的にイメージスキャナは、テーブルなどの設置台に設置されて使用される。そのため、分散化されたイメージスキャナを使用可能な場所を確保しなければならない。
【００２０】
本発明の一実施の形態における可搬型イメージスキャナ１００は、配送伝票をスキャンする際には、折り畳まれた形態（以下、折畳形態と呼ぶ場合がある）から展開された形態（以下、展開形態と呼ぶ場合がある）へと変形される。また、可搬型イメージスキャナ１００は、携帯される際には、展開形態から折畳形態へと変形される。
【００２１】
＜詳細構成＞
以下、本発明の一実施の形態における可搬型イメージスキャナ１００の詳細構成を図２〜図５を用いて説明する。図２〜図５に示されるように、本発明の一実施の形態における可搬型イメージスキャナ１００は、展開形態で紙（例えば、配送伝票）をスキャンする。また、可搬型イメージスキャナ１００は、折畳形態で携帯される。
【００２２】
図２は、本発明の一実施の形態における可搬型イメージスキャナ１００が展開された形態を示す斜視図である。図２に示されるように、可搬型イメージスキャナ１００は、イメージスキャナ部２００と、折畳形態でイメージスキャナ部２００を収容する鞄部３００とを有する。
【００２３】
イメージスキャナ部２００は、スキャンする紙が挿入される挿入口２１０と、スキャンした紙を排出する排出口２２０とを有する。
【００２４】
イメージスキャナ部２００は、挿入口２１０から挿入された紙をスキャンし、スキャンした紙を排出口２２０から排出する。
【００２５】
鞄部３００は、折り畳まれた形態と、展開された形態とのいずれかの形態へ変形できる。
【００２６】
また、鞄部３００は、イメージスキャナ部２００の背面を覆う板状の部材である背面板３２０と、背面板３２０と連結する板状の部材である被せ板３１０と、背面板３２０と連結する板状の部材である底面板３３０と、底面板３３０と連結する紙収納部３４０とを有する。図２に示されるように、展開形態であってスキャンする際には、被せ板３１０と、背面板３２０と、底面板３３０と、紙収納部３４０と同一垂直平面上に一列に並ぶ。イメージスキャナ部２００の背面は、背面板３２０に接着される。
【００２７】
なお、イメージスキャナ部２００の背面および背面板３２０に、一対の面ファスナー（不図示）が設けられるようにしても良い。この場合、イメージスキャナ部２００は、面ファスナーを介して背面板３２０に脱着可能に取り付けられる。
【００２８】
被せ板３１０と、背面板３２０と、底面板３３０と、紙収納部３４０とは、同一方向に折り畳まれることで、イメージスキャナ部２００を包むように折り畳み可能に構成される。
【００２９】
底面板３３０は、折畳形態でイメージスキャナ部２００の底面と対向する。そして、底面板３３０は、展開形態から折畳形態になるまで、底面板３３０と背面板３２０との境界を軸に底面方向（イメージスキャナ部２００の底面に向かう方向）に屈曲可能に構成される。また、底面板３３０は、折畳形態から展開形態になるまで底面板３３０と背面板３２０との境界を軸に底面方向の逆方向に屈曲可能に構成される。
【００３０】
紙収納部３４０は、展開形態にてイメージスキャナ部２００の排出口２２０から排出されることで落下する紙を収納する。そして、紙収納部３４０は、展開形態から折畳形態になるまで、底面板３３０と紙収納部３４０との境界を軸に正面方向（イメージスキャナ部２００の正面に向かう方向）に屈曲可能に構成される。また、紙収納部３４０は、折畳形態から展開形態になるまで底面板３３０と紙収納部３４０との境界を軸に正面方向の逆方向に屈曲可能に構成される。
【００３１】
被せ板３１０は、折畳形態でイメージスキャナ部２００の天面を覆うイメージスキャナ被せ板３１１と、折畳形態で持ち手面３４２を覆う、持ち手面被せ板３１２とから構成される。
【００３２】
紙収納部３４０の持ち手面３４２には、利用者が把持可能な持ち手３４３が取り付けられている。詳細には、持ち手３４３は、鞄部３００が折り畳まれた形態に変形された場合の、持ち手面３４２の外側の面に取り付けられる。なお、持ち手３４３が、折畳形態における鞄部３００の被せ板３１０、背面板３２０、底面板３３０、紙収納部３４０のいずれかの外側の面に取り付けられるようにしても良い。
【００３３】
被せ板３１０の、持ち手面被せ板３１２には、折畳形態で持ち手３４３が挿入される挿入部３１４が形成されている。
【００３４】
折畳形態で、挿入部３１４に持ち手３４３が挿入され、持ち手３４３が挿入部３１４内に引っ掛かり、被せ板３１０の持ち手面被せ板３１２と持ち手面３４２とが接触した形態が維持される。これによって、可搬型イメージスキャナ１００の形態が折畳形態で維持される。
【００３５】
また、被せ板３１０は、展開形態から折畳形態になるまで、被せ板３１０と背面板３２０との境界を軸に天面方向（イメージスキャナ部２００の天面へ向かう方向）に屈曲可能に構成される。また、被せ板３１０は、折畳形態から展開形態になるまで、被せ板３１０と背面板３２０との境界を軸に天面方向の逆方向に屈曲可能に構成される。
【００３６】
被せ板３１０のイメージスキャナ被せ板３１１には、引っ掛け孔３１３が形成されている。可搬型イメージスキャナ１００は、フック（例えば、配送車の壁に取り付けられているフック）が引っ掛け孔３１３を介して挿入されることで、当該フックに吊るされる。
【００３７】
そして、可搬型イメージスキャナ１００の鞄部３００は、例えば、配送車の壁に引っ掛けられることで、被せ板３１０と背面板３２０と底面板３３０と紙収納部３４０と同一垂直平面上に一列に並ぶ形態へ展開される。これによって、可搬型イメージスキャナ１００は、展開形態となり、紙をスキャン可能になる。
【００３８】
ここで、可搬型イメージスキャナ１００によって読み取られた紙は、読み取られた後に、袋などに収納することが必要になる。そこで、可搬型イメージスキャナ１００の紙収納部３４０は、展開形態では、イメージスキャナ部２００の排出口２２０の下方に位置する。また、展開形態では、紙収納部３４０の開口部３４１は、上方を向いて開口する。すなわち、展開形態では、イメージスキャナ部２００の排出口２２０と紙収納部３４０の開口部３４１とが上下方向に対向する。これによって、展開形態にてイメージスキャナ部２００の排出口２２０から排出される紙は、鞄部３００の紙収納部３４０に向かって落下し、開口部３４１を介して紙収納部３４０に収納される。
【００３９】
また、図３に示されるように、紙収納部は、板状の部材である開閉板３４４と、開閉板３４４と対向する板状の部材である収納部背面板３４５と、開閉板３４４と収納部背面板３４５とを連結する板状の持ち手面３４２とを有する。そして、開閉板３４４は、開閉板３４４と持ち手面３４２との境界を軸に屈曲可能に構成されており、開閉板３４４が開方向（開閉板３４４が収納部背面板３４５から離れる方向）に屈曲されることで紙を収納できない開形態へと展開される。一方、開閉板３４４は、開閉板３４４と持ち手面３４２との境界を軸に閉方向（収納部背面板３４５へ向かう方向）に屈曲されることで紙を収納可能な閉形態となる。
【００４０】
このように、紙収納部３４０を閉形態から開形態にすることで、可搬型イメージスキャナ１００は、紙収納部３４０の縦方向（スキャン時における垂直方向）の長さよりも、長さ（紙の長手方向の長さ）が長い紙（例えば長尺伝票）であってもスキャン可能になる。
【００４１】
また、紙収納部３４０が閉状態にて、開閉板３４４と収納部背面板３４５とは所定の角度を成すよう構成される。これによって、閉形態にて紙収納部３４０は、排出口２２０に近づくほど、収納部背面板３４５から開閉板３４４までの横方向（スキャン時における水平方向）の距離が離れるように構成される。さらに、開閉板３４４の一端（持ち手面３４２側とは、逆側の端）は、閉形態にて、収納部背面板３４５から離れる方向に沿っている。これによって、排出口２２０から排出され、落下する紙が紙収納部３４０に収納されやすくなる。
【００４２】
次に、図４（ａ）〜（ｃ）を用いて、可搬型イメージスキャナ１００が折り畳まれた形態から展開された形態になるまでの動作を説明する。図４（ａ）および図４（ｂ）は、展開された形態から折り畳まれた形態になるまでの動作を示す正面斜視図、図４（ｃ）は、折り畳まれた後の形態を示す正面斜視図である。
【００４３】
図２に示される形態から、鞄部３００の被せ板３１０が天面方向に屈曲され、底面板３３０が底面方向に屈曲され、紙収納部３４０が正面方向に屈曲されることで、図４（ａ）に示される形態になる。
【００４４】
次に、図４（ａ）に示される形態から、さらに、鞄部３００の被せ板３１０が天面方向に屈曲され、底面板３３０が底面方向に屈曲され、紙収納部３４０が正面方向に屈曲されることで、図４（ｂ）に示される形態になる。
【００４５】
次に、図４（ｂ）に示される形態から、さらに、鞄部３００の被せ板３１０が天面方向に屈曲され、底面板３３０が底面方向に屈曲され、紙収納部３４０が正面方向に屈曲され、挿入部３１４に持ち手３４３が挿入されることで、図４（ｃ）に示される折畳形態になる。
【００４６】
図４（ｃ）に示されるように、鞄部３００は、折畳形態へ変形された場合に、イメージスキャナ部２００を収納するイメージスキャナ収納部３５０を有する。イメージスキャナ収納部３５０は、被せ板３１０の内側の面と、背面板３２０の内側の面と、底面板３３０の内側の面と、紙収納部３４０の開閉板の内側の面とが、イメージスキャナ部２００の外側を囲うことで形成される。
【００４７】
一方、図４（ｃ）に示される形態から、挿入部３１４から持ち手３４３が引き抜かれ、鞄部３００の被せ板３１０が天面方向の逆方向に屈曲され、底面板３３０が底面方向の逆方向に屈曲され、紙収納部３４０が正面方向の逆方向に屈曲されることで、図４（ｂ）に示される形態になる。
【００４８】
次に、図４（ｂ）に示される形態から、さらに、鞄部３００の被せ板３１０が天面方向の逆方向に屈曲され、底面板３３０が底面方向の逆方向に屈曲され、紙収納部３４０が正面方向の逆方向に屈曲されることで、図４（ａ）に示される形態になる。
【００４９】
以下、図５を用いて、折畳形態における可搬型イメージスキャナ１００についてさらに詳細に説明する。図５は、本発明の一実施の形態における可搬型イメージスキャナ１００が折り畳まれた形態を示す背面側斜視図である。
【００５０】
図５に示されるように、可搬型イメージスキャナ１００は利用者が把持可能な持ち手３４３を有する。利用者は、持ち手３４３を把持することによって、可搬型イメージスキャナ１００を携帯できる。さらに、紙収納部３４０にスキャンした紙が収納された可搬型イメージスキャナ１００を携帯できる。
【００５１】
また、図５に示されるように、鞄部３００の背面板３２０には、複数のゴム脚３２１が取り付けられている。これによって、背面板３２０が下方を向くように可搬型イメージスキャナ１００をテーブル等に載置した場合であっても、可搬型イメージスキャナ１００がテーブルから落ちにくくなる。また、可搬型イメージスキャナ１００と背面板３２０とテーブルとが接触することで、テーブルが傷つくことを抑止できる。なお、折畳形態における鞄部３００の被せ板３１０、背面板３２０、底面板３３０、紙収納部３４０のいずれかの外側の面にゴム脚３２１が取り付けられるようにしても良い。
【００５２】
なお、変形例として図６に示されるように、矩形の衝撃緩衝部材（例えば、ゴム部材）５００を、イメージスキャナ部２００の両側面の外周を囲うように取り付けるようにしても良い。これによって、携帯時や使用時に他物体から可搬型イメージスキャナ１００へ加わる衝撃を緩和できるようになる。
【００５３】
また、変形例として図７に示されるように、持ち手３４３を底面板３３０に取り付けるようにしても良い。詳細には、持ち手３４３を底面板３３０の中央に取り付けるようにしても良い。これによって、可搬型イメージスキャナ１００を携帯する場合にて、紙収納部３４０に収納された紙が紙収納部３４０から外へ出ることを抑止できる。
【００５４】
＜本実施の形態の効果＞
以上説明した本実施の形態における可搬型イメージスキャナ１００によれば、鞄部３００は、折り畳まれた形態へ変形された場合に、イメージスキャナ部２００を収納するイメージスキャナ収納部３５０と、展開された形態へ変形された場合に、イメージスキャナ部２００の排出口２２０の下方に位置し、上方を向いて開口する開口部３４１を有する紙収納部３４０とを有することで、鞄などの入れ物を必要とせずイメージスキャナおよび読取りが完了した配送伝票の持ち運びが可能になるとともに、配送車の壁に取り付けられているフックなどに引っ掛けてイメージスキャナを使用できる。
【００５５】
また、鞄部３００は、折り畳まれた形態へ変形された場合に、イメージスキャナ収納部３５０の上方に位置する外側の面に持ち手３４３を有することで、可搬型イメージスキャナ１００を携帯する場合にて、紙収納部３４０に収納された紙が紙収納部３４０から外へ出ることを抑止できる。
【００５６】
また、紙収納部３４０が、開方向に屈曲可能な開閉板３４４を有し、開閉板３４４が開方向に屈曲され展開されることで、可搬型イメージスキャナ１００は、紙収納部３４０の短手方向（高さ方向）の長さよりも、長さ（紙の長手方向の長さ）が長い紙（例えば長尺伝票）をスキャン可能になる。
【００５７】
また、鞄部３００が、外側のいずれかの面にゴム脚３２１を有することで、可搬型イメージスキャナ１００がテーブルから落ちにくくなる。
【００５８】
また、イメージスキャナ部２００が、側面に衝撃緩衝部材５００を有することで、携帯時や使用時に他物体から可搬型イメージスキャナ１００へ加わる衝撃を緩和できるようになる。
【００５９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００６０】
１００…可搬型イメージスキャナ、
２００…イメージスキャナ部、２１０…挿入口、２２０…排出口、
３００…鞄部、３１０…被せ板、３１１…イメージスキャナ被せ板、３１２…持ち手面被せ板、３１３…引っ掛け孔、３１４…挿入部、３２０…背面板、３２１…ゴム脚、３３０…底面板、３４０…紙収納部、３４１…開口部、３４２…持ち手面、３４３…持ち手、３４４…開閉板、３４５…収納部背面板、３５０…イメージスキャナ収納部、
４００…サーバ、
５００…衝撃緩衝部材。 
【図１】
2016096418.tif 000003
【図２】
2016096418.tif 000004
【図３】
2016096418.tif 000005
【図４】
2016096418.tif 000006
【図５】
2016096418.tif 000007
【図６】
2016096418.tif 000008
【図７】
2016096418.tif 000009